(57)【特許請求の範囲】
【請求項１】
基地局と複数の端末をアクセス中継する中継器を含むランダムアクセス中継方法であって、
前記中継器が動作周期と、前記動作周期とは異なる周期の放送周期とを事前に確定し、
前記中継器が同期情報を含む放送信号を送信し、
前記端末が前記放送信号を受信し、
前記端末が前記中継器のランダムアクセス時間窓内に前記中継器へメッセージを送信し、
前記中継器が前記端末からのメッセージの受診を完了し、さらに前記基地局又は別の前記中継器に転送を完了した後、前記端末へ前記メッセージの転送が成功したと判定する確認メッセージを送信するステップを含み
一つのランダムアクセス時間窓内に前記ステップを行うランダムアクセス中継方法。
【請求項２】
前記動作周期の単位が、低消費電力状態であるスリープと、前記メッセージの受信及び転送をする状態である前記ランダムアクセス時間窓と、から構成され、
前記中継器は、前記スリープ中にスリープ又は低消費電力の動作状態にあり、
前記中継器は、前記ランダムアクセス時間窓中に前記端末からのメッセージを受信し、さらに前記基地局又は別の前記中継器にメッセージを転送する請求項１に記載のランダムアクセス中継方法。
【請求項３】
前記放送周期の単位が、前記放送信号を送信する信号送信状態と、前記放送信号を送信しないアイドル状態と、から構成される請求項１又は２に記載のランダムアクセス中継方法。
【請求項４】
前記動作周期と前記放送周期が、異なる周期頻度を有する請求項１に記載のランダムアクセス中継方法。
【請求項５】
前記放送信号内の前記同期情報に基づき、前記端末が前記中継器の次のランダムアクセス時間窓の開始時刻を判断する請求項１乃至４のいずれかに記載のランダムアクセス中継方法。
【請求項６】
前記端末が判断した前記動作周期の前記ランダムアクセス時間窓の開始時刻に基づき、前記中継器へメッセージを送信する請求項１乃至５のいずれかに記載のランダムアクセス中継方法。
【請求項７】
前記中継器が一つの又は複数の前記メッセージの受信を完了した後、上流の前記基地局又はもう一つ別の前記中継器へ直ちに転送する請求項１乃至６のいずれかに記載のランダムアクセス中継方法。
【請求項８】
基地局と複数の端末をアクセス中継する中継器を含むランダムアクセス中継システムの中継器であって、
前記中継器は、
確定した放送周期に従い同期情報を含む放送信号を送信し、前記端末からのメッセージを受信し、さらに前記基地局又は別の前記中継器に転送する少なくとも２つの無線送受信機と、
前記無線送受信機及びそれ自身の動作周期と前記放送周期を事前に確定し、
一つのランダムアクセス時間窓内に前記無線送受信機の前記端末からの受信と、前記基地局又は別の中継器への転送と、を制御する制御装置と、を含む、ランダムアクセス中継器。
【請求項９】
前記中継器が少なくとも二つの無線送受信機を含み、
二つ又は複数の前記無線送受信機と前記制御装置間で有線データインターフェース又は制御信号インターフェースを通じて、メッセージを前記基地局に転送する請求項８に記載のランダムアクセス中継器。
【請求項１０】
二つ又は複数の前記無線送受信機と前記制御装置間でクロック信号インターフェース、又は信号インターフェースを通じて、クロック同期を行い、前記クロック同期がクロック周波数同期又はクロック位相同期を含む請求項９に記載のランダムアクセス中継器。
【請求項１１】
一つの前記無線送受信機及び前記制御装置のスリープ又はウェイクアップが、その他の前記無線送受信機及び前記制御装置から独立可能であり、
前記無線送受信機及び前記制御装置が制御信号インターフェースを使用し、外部制御信号を通じて、その他の前記無線送受信機及び前記制御装置をウェイクアップできる請求項９に記載のランダムアクセス中継器。
【請求項１２】
一つの前記動作周期がスリープ及びランダムアクセス時間窓から構成され、
前記無線送受信機及び前記制御装置は、前記スリープ中にスリープ又は低消費電力の動作状態にあり、前記ランダムアクセス時間窓中に動作する請求項８乃至１１のいずれか１項に記載のランダムアクセス中継器。
【請求項１３】
一つの前記放送周期が信号送信及びアイドルから構成され、
前記制御装置は、前記無線送受信機を制御し、信号送信中に放送信号を送信し、アイドル中に放送信号を送信しない請求項８乃至１２のいずれかに記載のランダムアクセス中継器。
【請求項１４】
前記動作周期が前記制御装置によって一定の規則に基づき決定、又は上流の前記基地局の配置コマンドに基づき設定される請求項８乃至１３のいずれかに記載のランダムアクセス中継器。
【請求項１５】
前記放送周期が前記制御装置によって一定の規則に基づき決定されるか、又は上流の前記基地局の配置コマンドに基づき設定される請求項８乃至１４のいずれかに記載のランダムアクセス中継器。
【請求項１６】
前記動作周期と前記放送周期とが異なる周期頻度を有することができる請求項８乃至１５のいずれかに記載のランダムアクセス中継器。
【請求項１７】
前記放送信号の前記同期情報に基づき、前記端末が前記中継器の次の前記ランダムアクセス時間窓の開始時刻を判断することができる請求項８乃至１６のいずれかに記載のランダムアクセス中継器。
【請求項１８】
前記無線送受信機が一つの又は複数のメッセージの受信を完了した後、上流の前記基地局又はもう一つ別の前記中継器へ直ちに転送する請求項８乃至１７のいずれかに記載のランダムアクセス中継器。
【請求項１９】
前記無線送受信機が一つの又は複数のメッセージの受信を完了した後、上流の前記基地局又はもう一つ別の前記中継器の前記ランダムアクセス時間窓が到来してから転送を行う請求項８乃至１８のいずれかに記載のランダムアクセス中継器。
【請求項２０】
請求項８乃至１９のいずれかに記載の前記中継器と、
前記中継器が一つの前記ランダムアクセス時間窓内に送信した前記放送信号を受信し、前記中継器の同じ前記ランダムアクセス時間窓内に前記中継器へメッセージを送信する前記端末と、を含むランダムアクセス中継システム。
【請求項２１】
前記動作周期の単位が、低消費電力状態であるスリープと、前記メッセージの受信及び転送をする状態である前記ランダムアクセス時間窓と、から構成され、
前記無線送受信機及び前記制御装置がスリープ中にスリープ又は低消費電力の動作状態にあり、前記ランダムアクセス時間窓中に動作する請求項２０に記載の中継システム。
【請求項２２】
前記放送周期の単位が、前記放送信号を送信する信号送信状態と、前記放送信号を送信しないアイドル状態と、から構成される請求項２０又は２１に記載の中継システム。
【請求項２３】
前記放送周期が上流基地局の配置コマンドに基づき設定される請求項２０、２１又は２２に記載の中継システム。
【請求項２４】
前記動作周期と前記放送周期が異なる周期頻度を有することができる請求項２０乃至２３のいずれかに記載の中継システム。
【請求項２５】
前記無線送受信機が、前記端末から一つの又は複数のメッセージの受信を完了した後、上流の基地局又はもう一つ別の前記中継器へ直ちに転送する請求項２０乃至２４のいずれかに記載の中継システム。
【請求項２６】
前記同期情報に基づき、前記端末が前記中継器の次のランダムアクセス時間窓の開始時刻を判断する請求項２０乃至２５のいずれかに記載の中継システム。
【発明の詳細な説明】
【技術分野】
【０００１】
本発明は通信分野に関し、特に低消費電力のランダムアクセス中継器、中継システム及びその中継方法に関する。
【背景技術】
【０００２】
モノのインターネット（IoT）又はセンサネットワークでは、通常、中継器を通じてメッセージ転送を行うことにより、ネットワークのカバー範囲を拡大する。それぞれのメッセージを一つの中継器を通じて一回転送することを「ワンホップ」と称するが、従来の中継器には実際の利用において多くの限界がある。
【０００３】
特に従来の中継器は下流ノードとの接続を維持するために、常に高電力消費の受信状態を維持している。実際の利用では、実施環境の制限から電池で給電する必要があるが、常に受信状態を維持している中継器に電池で給電すると、電力を高速で使い切るため、ネットワーク全体の寿命が大きく短縮され、維持コストが大幅に上昇する。
【０００４】
省電力の目的を実現するため、従来の設計では、メッセージの転送要求があるそれぞれの下流ノードに一つのタイムスロットを中継器が割り当てるようになっている。中継器は割り当てたタイムスロットでは高電力消費の受信状態で動作し、それ以外の時間にはスリープする。
【０００５】
実際の利用において、一部の下流ノードのメッセージ転送要求は、イベントによってトリガーされるが、事前に予知できない。中継器がこれらの下流ノードのためにタイムスロットを留保すれば、エネルギーが浪費される。下流ノードの数が多い場合、留保されたタイムスロットのために、中継器がスリープする時間がなくなる。一方、中継器が下流ノードにタイムスロットを留保しなければ、ノードが特定のイベントによってトリガーされるため、メッセージを作成して中継器に送信し、転送しても、中継器はスリープ状態にある可能性がある。そうなると、適時にウェイクアップして、転送の必要なメッセージを受信できず、ネットワーク全体の通信の安定性が大幅に低下する。
【発明の概要】
【発明が解決しようとする課題】
【０００６】
本発明の目的は、従来技術の欠点を克服し、混合ネットワークのネットワーキング方法を提供し、無線中継器を通じて、低速無線通信ネットワークのカバー範囲を拡大し、大規模なネットワーキングをサポートすることにある。無線中継は端末の通信に対してスケジューリングを行う必要がなく、一定の規則に従い周期的なスリープを行うだけでよい。大量の端末で中継器のスリープ周期に基づき、アップリンクメッセージ（例えばイベントトリガー信号）の送信時間を自ら調整して送信し、このメッセージを中継器に受信及び転送させ、最終的に基地局に受信させることができる。中継器は一つ又は複数の前記端末のメッセージを受信し、且つ転送するためにのみに用いられ、端末のメッセージ送信時刻に対して、スケジューリング又はタイムスロットの指定を行わない。
【課題を解決するための手段】
【０００７】
本発明がその技術的課題を解決するために採用する技術的解決手段は、次の通りである。
【０００８】
次のようなステップを含むランダムアクセス中継方法を提供する。中継器が放送信号を送信し、端末が該放送信号を受信し、端末が中継器のランダムアクセス時間窓内で中継器へメッセージを送信し、中継器がメッセージの受信を完了し、且つ転送を完了した後、端末へ確認メッセージを送信する。
【０００９】
好ましくは、中継器がその動作周期及び放送周期を事前に確定する。
【００１０】
好ましくは、一つの動作周期がスリープ及びランダムアクセス時間窓からなり、そのうち、中継器がスリープ中にスリープ又は低消費電力の動作状態にあり、ランダムアクセス時間窓中にメッセージを受信し、且つメッセージを転送する。
【００１１】
好ましくは、一つの放送周期が信号送信及びアイドルからなり、そのうち、中継器は信号送信中に放送信号を送信し、アイドル中に放送信号を送信しない。
【００１２】
好ましくは、中継器の動作周期は該中継器が一定の規則に基づき決定するか、又は上流基地局の配置コマンドに基づき設定する。
【００１３】
好ましくは、中継器の放送周期は該中継器が一定の規則に基づき決定するか、又は上流基地局の配置コマンドに基づき設定する。
【００１４】
好ましくは、動作周期と放送周期が異なる周期頻度を有する。
【００１５】
好ましくは、放送信号内に同期信号を伴い、該同期信号に基づき、端末が該中継器の次のランダムアクセス時間窓の開始時刻を判断できる。
【００１６】
好ましくは、そのうち端末が該放送信号を受信した後、端末が自身のクロックに対して調整を行い、中継器の時間計数との同期を実現し、既知の中継器の動作周期配置に基づき、該中継器がスリープ又は低消費電力の動作状態を終了する、及びランダムアクセス時間窓に入る時刻を判断することをさらに含む。
【００１７】
好ましくは、端末が判断した動作周期に基づき、動作周期内のランダムアクセス時間窓を選択し、中継器へメッセージを送信する。
【００１８】
好ましくは、中継器が一つ又は複数のメッセージの受信を完了した後、直ちに上流の基地局又はもう一つ別の中継器に転送する。
【００１９】
好ましくは、中継器が一つ又は複数のメッセージの受信を完了した後、上流の基地局又はもう一つ別の中継器のランダムアクセス時間窓が到来してから転送を行う。
【００２０】
好ましくは、中継器が一つ又は複数のメッセージの受信を完了した後、上流の基地局又はもう一つ別の中継器のタイムスロットスケジューリングに基づき、指定したアクセスタイムスロットが到来してから転送を行う。
【００２１】
本発明は次を含むランダムアクセス中継器をさらに提供する。
【００２２】
確定した放送周期に従い放送信号を送信し、端末からのメッセージを受信し、且つ転送する無線送受信機。
【００２３】
無線送受信機及びそれ自身の動作周期と放送周期を確定し、ランダムアクセス時間窓内で無線送受信機の受信と転送を制御する制御装置。
【００２４】
好ましくは、前記中継器が少なくとも二つの無線送受信機を含み、二つ又は複数の無線送受信機及びその制御装置間で、有線データインターフェース又は制御信号インターフェースを通じて、直接的にメッセージ転送を行うか、又は一つの制御装置を通じて、間接的にメッセージ転送を行う。
【００２５】
好ましくは、二つ又は複数の無線送受信機及びその制御装置間で、クロック信号インターフェース、又は制御信号インターフェースを通じて、クロック同期を行い、前記クロック同期がクロック周波数同期又はクロック位相同期を含む。
【００２６】
好ましくは、それぞれの無線送受信機及びその制御装置のスリープ又はウェイクアップが、その他無線送受信機及びその制御装置から独立することができ、無線送受信機及びその制御装置がさらに制御信号インターフェースを使用し、外部制御信号を通じて、その他無線送受信機及びその制御装置をウェイクアップすることができる。
【００２７】
好ましくは、一つの動作周期がスリープ及びランダムアクセス時間窓からなり、そのうち、無線送受信機及びその制御装置がスリープ中にスリープ又は低消費電力の動作状態にあり、ランダムアクセス時間窓中に動作をする。
【００２８】
好ましくは、一つの放送周期が信号送信及びアイドルからなり、そのうち、制御装置が無線送受信機を制御し、信号送信中に放送信号を送信し、アイドル中に放送信号を送信しない。
【００２９】
好ましくは、動作周期は制御装置が一定の規則に基づき決定するか、又は上流基地局の配置コマンドに基づき設定する。
【００３０】
好ましくは、放送周期は制御装置が一定の規則に基づき決定するか、又は上流基地局の配置コマンドに基づき設定する。
【００３１】
好ましくは、放送周期は制御装置が一定の規則に基づき決定するか、又は上流基地局の配置コマンドに基づき設定する。
【００３２】
好ましくは、動作周期と放送周期が異なる周期頻度を有することができる。
【００３３】
好ましくは、放送信号内に同期信号を伴い、該同期信号に基づき、端末が該中継器の次のランダムアクセス時間窓の開始時刻を判断できる。
【００３４】
好ましくは、無線送受信機が一つ又は複数のメッセージの受信を完了した後、直ちに上流の基地局又はもう一つ別の中継器に転送する。
【００３５】
好ましくは、無線送受信機が一つ又は複数のメッセージの受信を完了した後、上流の基地局又はもう一つ別の中継器のランダムアクセス時間窓が到来してから転送を行う。
【００３６】
好ましくは、無線送受信機が一つ又は複数のメッセージの受信を完了した後、上流の基地局又はもう一つ別の中継器のタイムスロットスケジューリングに基づき、指定したアクセスタイムスロットが到来してから転送を行う。
【００３７】
最後に、本発明はさらに、上に述べたような中継器と、中継器が送信する放送信号を受信し、中継器のランダムアクセス時間窓内に中継器へメッセージを送信する端末とを含むランダムアクセス中継システムを提供する。
【００３８】
好ましくは、一つの動作周期がスリープ及びランダムアクセス時間窓からなり、そのうち、無線送受信機及びその制御装置がスリープ中にスリープ又は低消費電力の動作状態にあり、ランダムアクセス時間窓中に動作をする。
【００３９】
好ましくは、一つの放送周期が信号送信及びアイドルからなり、そのうち、制御装置が無線送受信機を制御し、信号送信中に放送信号を送信し、アイドル中に放送信号を送信しない。
【００４０】
好ましくは、動作周期は制御装置が一定の規則に基づき決定するか、又は上流基地局の配置コマンドに基づき設定する。
【００４１】
好ましくは、放送周期は制御装置が一定の規則に基づき決定するか、又は上流基地局の配置コマンドに基づき設定する。
【００４２】
好ましくは、放送周期は制御装置が一定の規則に基づき決定するか、又は上流基地局の配置コマンドに基づき設定する。
【００４３】
好ましくは、動作周期と放送周期が異なる周期頻度を有することができる。
【００４４】
好ましくは、放送信号内に同期信号を伴い、該同期信号に基づき、端末が該中継器の次のランダムアクセス時間窓の開始時刻を判断できる。
【００４５】
好ましくは、無線送受信機が一つ又は複数のメッセージの受信を完了した後、直ちに上流の基地局又はもう一つ別の中継器に転送する。
【００４６】
好ましくは、無線送受信機が一つ又は複数のメッセージの受信を完了した後、上流の基地局又はもう一つ別の中継器のランダムアクセス時間窓が到来してから転送を行う。
【００４７】
好ましくは、無線送受信機が一つ又は複数のメッセージの受信を完了した後、上流の基地局又はもう一つ別の中継器のタイムスロットスケジューリングに基づき、指定したアクセスタイムスロットが到来してから転送を行う。
【００４８】
好ましくは、そのうち端末が該放送信号を受信した後、端末が自身のクロックに対して調整を行い、中継器の時間計数との同期を実現し、既知の中継器の動作周期配置に基づき、該中継器がスリープ又は低消費電力の動作状態を終了する、及びランダムアクセス時間窓に入る時刻を判断することをさらに含む。
【００４９】
好ましくは、端末が判断した動作周期に基づき、動作周期内のランダムアクセス時間窓を選択し、中継器へメッセージを送信する。
【発明の効果】
【００５０】
本発明の有益な効果とは、中継器の動作周期を区分し、放送信号を放送することを通じて、全ネットワークのインテリジェントハンドオフを実現し、それにより、ネットワークスケジューリングを最適化し、ネットワークの消費電力を低減し、ネットワーク通信の安定性を向上させる効果が得られることである。
【００５１】
次に、図面及び実施例と結びつけて、本発明についてさらに詳細な説明をする。ただし、本発明の混合ネットワークのネットワーキング方法は実施例に限定されない。
【００５２】
本発明の実施例又は従来技術に係る技術的解決手段について、より明確に説明するために、次に、実施例又は従来技術を説明するための図面について簡単に説明する。当然ながら、次の説明に係る図面は、本発明の一部の実施例であるに過ぎず、本分野の一般技術者として、これらの図面に基づき、その他の図面を作成してもよい。
【図面の簡単な説明】
【００５３】
【図１】図1は本発明の一つのランダムアクセス中継システムの構造図である。
【００５４】
【図２】図2は本発明のもう一つのランダムアクセス中継システムの構造図である。
【００５５】
【図３】図3は本発明の一つの無線送受信機及びその制御装置を有するランダムアクセス中継器の構造図である。
【００５６】
【図４】図4は本発明のランダムアクセス中継方法を示すフローチャートである。
【００５７】
【図５】図5は、動作周期及び放送周期の周期説明図である。
【発明を実施するための形態】
【００５８】
本分野の従事者に本発明に係る技術的解決手段を確実に理解させるため、次に、本発明の実施例に係る図面と結びつけて、本発明の実施例に係る技術的解決手段について明確かつ完全に説明をする。当然ながら、説明する実施例は本発明の一部の実施例に過ぎず、全ての実施例ではない。本発明に係る実施例に基づき、本分野の一般技術者が得るその他の実施例はすべて本発明の保護の範囲に含まれる。
【００５９】
次に、本発明の図面と結びつけて、本発明の具体的な実現についてさらに説明をする。
【００６０】
図1に示すように、本発明はランダムアクセス中継システムを提供し、該システムは、基地局101、ランダムアクセス中継器102及び端末103を含む。
【００６１】
基地局101はネットワーク内のランダムアクセス中継器102と接続を構築し、前記ランダムアクセス中継器102は一つ又は複数の端末103と接続を構築できる。ランダムアクセス中継器102は、本発明で説明するランダムアクセス時間窓が到来した時だけ、端末103のメッセージを受信し、その後基地局101に転送することができる。端末103はランダムアクセス中継器102が送信した放送信号を受信し、中継器のランダムアクセス時間窓内にランダムアクセス中継器102へメッセージを送信する。
【００６２】
図2に示す、本発明のランダムアクセス中継器を有するもう一つ別のネットワーキング方法を参照すると、該ランダムアクセス中継システムは、基地局201、複数のランダムアクセス中継器及び複数の端末204の3種類の論理ノードを含み、図1との違いは、該システム内に複数のランダムアクセス中継器を含むことだけである。
【００６３】
基地局201はネットワーク内のランダムアクセス中継器202と接続を構築する。前記ランダムアクセス中継器202はネットワーク内のもう一つ別のランダムアクセス中継器と接続を構築する。前記ランダムアクセス中継器203は一つ又は複数の端末204と接続を構築する。ランダムアクセス中継器203は本発明で説明するランダムアクセス時間窓が到来した時だけ、端末204のメッセージを受信し、その後、その上流のランダムアクセス中継器に転送できる。ランダムアクセス中継器203は一つ又は複数のメッセージの受信を完了した後、次の3種類の方式で転送することができる。
【００６４】
方式1：上流の基地局又はもう一つ別のランダムアクセス中継器のランダムアクセス時間窓が到来してから転送を行う。
【００６５】
方式2：上流の基地局又はもう一つ別のランダムアクセス中継器のタイムスロットスケジューリングに基づき、指定したアクセスタイムスロットが到来してから転送を行う。
【００６６】
方式3：上流の基地局又はもう一つ別のランダムアクセス中継器へ直ちに転送する。
【００６７】
次に図3と結びつけて、図1及び図2に示すランダムアクセス中継器の構造について詳細に説明をする。
【００６８】
図3に示す、無線送受信機301と制御装置302を含み、上記ランダムアクセス中継システムを実現するためのランダムアクセス中継器を参照する。
【００６９】
前記無線送受信機301は端末、基地局及びもう一つ別のランダムアクセス中継器に向けて、無線信号の送信と受信を実現する。それは制御装置302の制御下で確定した放送周期に従い放送信号を送信し、制御装置302の制御下でランダムアクセス時間窓内に端末からのメッセージを受信し、且つ転送し、そしてスリープ中にスリープ又は低消費電力で動作をする。
【００７０】
前記制御装置302は無線送受信機301及び自身の動作周期及び放送周期を確定し、ランダムアクセス時間窓内には無線送受信機301の受信と転送、及び端末から受信した/に送信したメッセージの処理を制御する。
【００７１】
本発明の説明を実現するためのもう一つ別のランダムアクセス中継器は、無線送受信機401、制御装置402、第2の制御装置403及び第2の無線送受信機404を含む。
【００７２】
前記無線送受信機401は確定した放送周期に従い、放送信号を送信し、端末からのメッセージを受信し、且つ転送する。
【００７３】
前記制御装置402は無線送受信機及びそれ自身の動作周期と放送周期を確定し、ランダムアクセス時間窓内で無線送受信機の受信と転送、及び端末から受信した/に送信したメッセージの処理を制御する。
【００７４】
上記の一つの動作周期はスリープ及びランダムアクセス時間窓からなり、そのうち、無線送受信機及びその制御装置は、スリープ中にスリープ又は低消費電力の動作状態にあり、ランダムアクセス時間窓中に、無線送受信機がメッセージを受信し、且つメッセージを転送する。一つの放送周期は信号送信及びアイドルからなり、そのうち、無線送受信機は信号送信中に放送信号を送信し、アイドル中に放送信号を送信しない。
【００７５】
前記無線送受信機404は、基地局又はもう一つ別のランダムアクセス中継器に向けて、無線信号の送信と受信をするためのものである。
【００７６】
前記制御装置403は、もう一つ別のランダムアクセス中継器のランダムアクセス時間窓の開始時刻に基づくスリープ状態からのウェイクアップ、及び基地局又はもう一つ別のランダムアクセス中継器から受信した/に送信したメッセージの処理を含む、無線送受信機404の動作状態を制御するためのものである。
【００７７】
本分野の技術者は、上記が図示を目的にしたものに過ぎず、実際には中継器内に複数の相互通信可能な無線送受信機及びその制御装置を集積し、両者を組み合せて動作させることができると理解してよい。
【００７８】
二つ又は複数の無線送受信機及びその制御装置間で、有線データインターフェース又は制御信号インターフェースを通じて、直接的にメッセージ転送を行うか、又は一つの制御装置を通じて、間接的にメッセージ転送を行うことができる。
【００７９】
一歩進んで、二つ又は複数の無線送受信機及びその制御装置間で、クロック信号インターフェース、又は制御信号インターフェースを通じて、クロック同期を行う。前記クロック同期はクロック周波数同期又はクロック位相同期を含む。
【００８０】
又は、それぞれの無線送受信機及びその制御装置のスリープ又はウェイクアップが、その他無線送受信機及びその制御装置から独立することができ、無線送受信機及びその制御装置がさらに制御信号インターフェースを使用し、外部制御信号を通じて、その他無線送受信機及びその制御装置をウェイクアップすることができる。
【００８１】
無線送受信機が一つ又は複数のメッセージの受信を完了した後、次の3種類の方式で転送することができる。
【００８２】
方式1：上流の基地局又はもう一つ別の中継器へ直ちに転送する。
【００８３】
方式2：上流の基地局又はもう一つ別の中継器のランダムアクセス時間窓が到来してから転送を行う。
【００８４】
方式3：無線送受信機が一つ又は複数のメッセージの受信を完了した後、上流の基地局又はもう一つ別の中継器のタイムスロットスケジューリングに基づき、指定したアクセスタイムスロットが到来してから転送を行う。
【００８５】
以上、図3と結びつけて、ランダムアクセス中継器の構造について説明した。次に、図面4及び5と結びつけて、該ランダムアクセス中継システムの動作フローについて詳細に説明をする。
【００８６】
図4に示すように、該方法は次のようなステップを含む。
【００８７】
ステップ1：中継器が放送信号を送信する。
【００８８】
中継器がその動作周期及び放送周期を事前に確定する。一つの動作周期はスリープ及びランダムアクセス時間窓からなり、そのうち、中継器はスリープ中にスリープ又は低消費電力の動作状態にあり、ランダムアクセス時間窓中にメッセージを受信し、且つメッセージを転送する。一つの放送周期は信号送信及びアイドルからなり、そのうち、中継器は信号送信中に放送信号を送信し、アイドル中に放送信号を送信しない。そのうち、図5に中継器の動作周期及び放送周期を示す。そのうち、同期信号放送が送信されるのは信号送信周期であり、別のもう一つの信号送信周期までの間はアイドル周期である。
【００８９】
中継器の動作周期及び放送周期は該中継器が一定の規則に基づき決定するか、又は上流基地局の配置コマンドに基づき設定し、さらに、動作周期及び放送周期は異なる周期頻度を有することができる。
【００９０】
動作周期及び放送周期は、中継器の消費電力、電池寿命の要件、端末の水晶振動子の技術指標などの情報に応じて、柔軟に配置できる。一般的な配置原則としては、電池寿命の要件を高くするほど、一つの動作周期内のスリープの時間が長くなり、水晶振動子の技術指標を低くするほど、放送周期が短くなる。即ち、放送信号の送信頻度が増える。放送信号は同期情報又は中継器のクロック情報又は両者を伴う。放送信号が伴う同期情報又はクロック情報に基づき、端末が該中継器の次のランダムアクセス時間窓の開始時刻を判断できる。
【００９１】
ステップ2：端末が該放送信号を受信する。
【００９２】
端末が該放送信号を受信し、その後端末は放送信号が伴う同期情報又はクロック情報に基づき、自身のクロックに対して調整を行い、中継器の時間計数との同期を実現し、既知の中継器の動作周期配置に基づき、該中継器がスリープ又は低消費電力の動作状態を終了する、及びランダムアクセス時間窓に入る時刻を判断する。
【００９３】
ステップ3：端末が中継器のランダムアクセス時間窓内で中継器へメッセージを送信する。
【００９４】
一旦、イベントトリガーがあり、端末が中継器へメッセージを送信する必要がある場合、端末は中継器のランダムアクセス時間窓内に中継器へメッセージを送信することを選択する。
【００９５】
ステップ4：中継器がメッセージの受信を完了し、且つ転送を完了した後、端末へ確認メッセージを送信する。
【００９６】
中継器が一つ又は複数のメッセージの受信を完了した後、転送するタイミングには3種類の方式がある。
【００９７】
方式1：上流の基地局又はもう一つ別の中継器のランダムアクセス時間窓が到来してから転送を行う。
【００９８】
方式2：上流の基地局又はもう一つ別の中継器のタイムスロットスケジューリングに基づき、指定したアクセスタイムスロットが到来してから転送を行う。
【００９９】
方式3：上流の基地局又はもう一つ別の中継器へ直ちに転送する。
【０１００】
中継器は転送を完了した後、端末へ確認メッセージを送信する。
【０１０１】
端末は該確認メッセージを受領した後、メッセージの転送が成功したと判断する。端末が予定の時間になると、又は失敗のメッセージを受信すると、端末はランダムアクセス時間窓に該メッセージを再送信するか、又はその他中継器へメッセージを送信することを選択する。
【０１０２】
上記の実施例は、本発明の方法の具体的な実現について一歩進んで説明をしたに過ぎず、本発明は実施例に限定されず、本発明の技術の実質に基づき、以上の実施例に対して行うあらゆる簡単な修正、同等の変更及び修飾は、本発明の技術的解決手段の保護の範囲内に含まれる。
【図１】
0006675422.tif 000002
【図２】
0006675422.tif 000003
【図３】
0006675422.tif 000004
【図４】
0006675422.tif 000005
【図５】
0006675422.tif 000006